(57)【要約】【課題】適切なシステムキッチンレンジ用汁受け皿覆いを容易に判別できる識別ラベル及び包装容器を提供する。【解決手段】汁受け皿覆い７８の底部１６上に設置される識別ラベル１０の下方辺には、隆起部２６及び隆起部２７に添った切欠部３１及び切欠部３２が形成されており、それらの間の舌片３４から第１丸穴８２及び第２丸穴８３の中心位置に向かって伸びる第１延長片３５及び第２延長片３６が形成されている。第１延長片３５、舌片３４及び第２延長片３６には矢印マークが記載されており、その中央部には適合するバーナー間距離を示す数値が併せて表示されている。又、識別ラベル１０の中央部には識別マーク１３が表示されており、動物の「猫」が表されている。識別マーク１３の内容は、バーナー間距離と汁受け皿覆い７８の被覆範囲とがセットとなって分類分けされている。【選択図】      図１
2004325021.tif 000002
【特許請求の範囲】
【請求項１】
少なくとも２口の並列的に配置された第１バーナー及び第２バーナーを有するシステムキッチンレンジを覆うためのシステムキッチンレンジ用汁受け皿覆いのための識別ラベルにおいて、
前記第１バーナー及び前記第２バーナーの間隔に応じて異なった種類の識別マークが表示されたことを特徴とする、識別ラベル。
【請求項２】
前記識別マークは、動物、乗り物、植物等の同一属性を示す一群の類から選択される、請求項１記載の識別ラベル。
【請求項３】
前記識別マークとして選択される同一属性の類に含まれる異なったマークは、前記システムキッチンレンジ用汁受け皿覆いの被覆範囲の相違に対応する、請求項２記載の識別ラベル。
【請求項４】
前記識別ラベルは、前記第１バーナー及び前記第２バーナーの各々を露出させるための第１丸穴及び第２丸穴の各々の上に伸びる第１延長片及び第２延長片を有し、
前記第１延長片及び前記第２延長片並びにこれらの間の舌片には、前記間隔を表す情報が記載される、請求項１から請求項３のいずれかに記載の識別ラベル。
【請求項５】
前記情報は、矢印マーク及び前記間隔の長さを含む、請求項４記載の識別ラベル。
【請求項６】
前記システムキッチンレンジは第３のバーナーを更に有し、前記システムキッチンレンジ用汁受け皿覆いは前記第３バーナーを露出させるための第３丸穴を更に有し、
前記識別ラベルは、前記第３丸穴に係合する係止片を有する、請求項４又は請求項５記載の識別ラベル。
【請求項７】
少なくとも２口の並列的に配置された第１バーナー及び第２バーナーを有するシステムキッチンレンジを覆うためのシステムキッチンレンジ用汁受け皿覆いのための識別ラベルであって、
前記識別ラベルは、前記第１バーナー及び前記第２バーナーの各々を露出させるための第１丸穴及び第２丸穴の各々の上に伸びる第１延長片及び第２延長片を有し、前記第１延長片及び前記第２延長片並びにこれらの間の舌片には、前記第１バーナー及び前記第２バーナーの間隔を表す情報が記載されていることを特徴とする、識別ラベル。
【請求項８】
前記情報は、矢印マーク及び前記間隔の長さを含む、請求項７記載の識別ラベル。
【請求項９】
少なくとも２口の並列的に配置された第１バーナー及び第２バーナーを有するシステムキッチンレンジを覆うためのシステムキッチンレンジ用汁受け皿覆いを収納するための容器と蓋とからなる包装容器において、
前記第１バーナー及び前記第２バーナーの間隔に応じて異なった種類の識別マークが前記蓋に表示されていることを特徴とする、包装容器。
【請求項１０】
少なくとも前記蓋は透明体よりなり、
前記蓋には、前記システムキッチンレンジ用汁受け皿覆いにおける前記第１バーナー及び前記第２バーナーを露出させるための第１丸穴および第２丸穴に対応する位置まで伸びる表示が形成され、前記表示には前記間隔を表す情報が記載される、請求項９記載の包装容器。
【発明の詳細な説明】
【０００１】
【発明の属する技術分野】
この発明は識別ラベル及び包装容器に関し、特にシステムキッチンレンジを覆うシステムキッチンレンジ用汁受け皿覆いに用いる識別ラベル及びシステムキッチンレンジ用汁受け皿覆いを収納する包装容器に関するものである。
【０００２】
【従来の技術】
図３は一般のシステムキッチンレンジの概略構成を示す平面図である。
【０００３】
図を参照して、システムキッチンレンジ７０はレンジトッププレート４７に埋込まれて設置されたガードプレート４８を主体として構成されている。ガードプレート４８の底面４９には、図において下方側に並列的に２口の第１バーナー５３及び第２バーナー７３が設置され、その上方側に第３バーナー７１が設置されている、いわゆる３口形式のレンジである。第３バーナー７１の周辺にはバーナーリング７２が取付けられ、第１バーナー５３の周辺にはバーナーリング５４が、第２バーナー７３の周辺にはバーナーリング７４が各々底面４９の上に設置されている。ガードプレート４８の平坦面５２と第３バーナー７１等が取付けられている底面４９との境界部は段部５１となっており、この段部５１に五徳５６及び五徳７５の枠体が取外し自在に設置されている。
【０００４】
ガードプレート４８の上方部には、レンジトッププレート４７の下方に設置されている調理用グリル（図示せず）からの熱気を排出するためのグリル排気口７６が取付けられている。
【０００５】
図４は図３で示したシステムキッチンレンジ７０に対して設置されるシステムキッチンレンジ用汁受け皿覆いの一例の外観形状を示した平面図である。
【０００６】
図を参照して、システムキッチンレンジ用の汁受け皿覆い７８はアルミニウム箔のプレス成形によって形成され、ガードプレート４８の底面４９に対応する形状の底部１６と、底部１６の外周縁から立ち上がるようにして形成されている側壁部１７と、側壁部１７の上端縁から水平方向に伸びる平坦部７９と、平坦部７９の外周縁から立ち上がる立上り部８０と、立上り部８０の外周縁から水平方向に伸びるフランジ部８１と、フランジ部８１の外周縁に形成された縁巻２４とによって構成されている。
【０００７】
汁受け皿覆い７８の底部１６の図における下方部には、システムキッチンレンジ７０の第１バーナー５３及び第２バーナー７３の各々の開口に対応した第１丸穴８２及び第２丸穴８３が形成されている。又、底部１６の図における上方部には、システムキッチンレンジ７０の第３バーナー７１の開口に対応した第３丸穴２３が形成されている。尚、第１丸穴８２、第２丸穴８３及び第３丸穴２３は各々その周辺の底部１６の部分が立ち上げられ、その端部に縁巻加工が施されている。
【０００８】
又、汁受け皿覆い７８の中央部を水平方向に横切るように蛇腹部１９が形成され、この蛇腹部１９と側壁部１７の下方部分との間の底部１６の領域には、第１丸穴８２と第２丸穴８３とを隔離するような堰部２０が形成されている。
【０００９】
図５は図４に示した汁受け皿覆い７８を図３に示したシステムキッチンレンジ７０に設置した状態の平面図であり、図６は図５のＶＩ−ＶＩラインの拡大端面図である。
【００１０】
これらの図を参照して、汁受け皿覆い７８をシステムキッチンレンジ７０に設置する際には、五徳５６（五徳７５）を取外し、更に第１バーナー５３（第２バーナー７３，第３バーナー７１）周りのバーナーリング５４（バーナーリング７２，バーナーリング７４）を取外す。この状態で汁受け皿覆い７８をシステムキッチンレンジ７０のガードプレート４８の上に設置する。具体的には、ガードプレート４８の底面４９の上に汁受け皿覆い７８の底部１６が載置され、汁受け皿覆い７８の第１丸穴８２を構成する縁巻８４がガードプレート４８のバーナー用開口５５に対応する位置となるように調整される。
【００１１】
汁受け皿覆い７８は、設置しようとするガードプレート４８の寸法に対応した大きさとなっている。そのため、第１丸穴８２をバーナー用開口５５に合わせた状態において汁受け皿覆い７８の平坦部７９はガードプレート４８の段部５１に設置され、フランジ部８１はガードプレート４８の平坦面５２上に設置される。次に、取外していたバーナーリング５４を第１バーナー５３周りの元の位置に設置し、更に取外していた五徳５６をその枠体の底部が段部５１上の平坦部７９の上に位置するように設置する。
【００１２】
このようにして汁受け皿覆い７８をガードプレート４８に対して設置することによって、第１バーナー５３を用いた調理時における煮汁等の汚れは汁受け皿覆い７８上に落下することになり、ガードプレート４８の上面を汚すことはない。汁受け皿覆い７８の汚れが目立ってきた場合には、汁受け皿覆い７８を新たなものに取りかえることによって、常にガードプレート４８の上面を保護した状態でシステムキッチンレンジ７０を使用することが可能となる。
【００１３】
【発明が解決しようとする課題】
上記のような従来のシステムキッチンレンジ用汁受け皿覆いにあっては、設置しようとするシステムキッチンレンジのガードプレートの並列するバーナー間距離と、それに対応する汁受け皿覆いの丸穴間の距離が一致していれば特に問題はない。図４に示されているように第３丸穴２３と第１丸穴８２又は第２丸穴８３との距離については、蛇腹部１９を伸縮させることによってある程度の調整は可能である。しかし、第１丸穴８２と第２丸穴８３との距離Ｗ２は、汁受け皿覆い７８によって固定的なものとなり、堰部２０によってはそれを調整することは困難である。
【００１４】
一方、図３に示されているように、この寸法Ｗ２に対応する第１バーナー５３と第２バーナー７３との距離Ｗ１は、製造されるシステムキッチンレンジ７０によって２６５〜３２０ｍｍの範囲でばらつきがある。従って、取付け対象であるシステムキッチンレンジ７０のバーナー間距離Ｗ１に合致させた第１丸穴８２及び第２丸穴８３間の距離Ｗ２を有する汁受け皿覆い７８が、個別に製造されている。
【００１５】
しかしながら、丸穴間の距離Ｗ２が異なった汁受け皿覆いが形成されていても購入時には消費者が誤って不適合な汁受け皿覆いを購入することが多い。もちろん、製品のラベル等には説明があるが説明文を充分丁寧に読んで購入する消費者は少ない。
【００１６】
更に、このような汁受け皿覆いは、丸穴間の距離が異なるもののみならず、全体形状の異なるものも出回っている。
【００１７】
図７はこのような汁受け皿覆いを図４で示した汁受け皿覆いと比較して表した図である。
【００１８】
図を参照して、実線で表した汁受け皿覆い７８は図４で示したものと同一である。このような汁受け皿覆い７８に対してシステムキッチンレンジのガードプレート全体を覆うようにフランジ部８１の部分を更に伸ばして端部を折曲げたものが仮想線で示した汁受け皿覆い８６である。
【００１９】
そして汁受け皿覆い８６に対してシステムキッチンレンジのグリル排気口を完全に覆うべく、図において上方にフランジ部８１の部分を更に伸ばして端部を折曲げたものが破線で示した汁受け皿覆い８８である。汁受け皿覆い８８においては、グリル排気口の排気を阻害させないために、対応する上面に排気口用開口８７ａ〜排気口用開口８７ｃが形成されている。
【００２０】
以上のように、汁受け皿覆いは、バーナー間距離の相違とシステムキッチンレンジを覆う範囲の相違とを組合わせた数の製品が販売されていることになり、一層消費者の適切な製品の選択を困難にしているのが現状である。
【００２１】
この発明は上記のような課題を解決するためになされたもので、適切な汁受け皿覆いを容易に判別できる識別ラベル及び包装容器を提供することを目的とする。
【００２２】
【課題を解決するための手段】
上記の目的を達成するために、請求項１記載の発明は、少なくとも２口の並列的に配置された第１バーナー及び第２バーナーを有するシステムキッチンレンジを覆うためのシステムキッチンレンジ用汁受け皿覆いのための識別ラベルにおいて、第１バーナー及び第２バーナーの間隔に応じて異なった種類の識別マークが表示されたことを特徴とするものである。
【００２３】
このように構成すると、識別マークの種類が第１バーナーと第２バーナーとの間隔に対応する。
【００２４】
請求項２記載の発明は、請求項１記載の発明の構成において、識別マークは、動物、乗り物、植物等の同一属性を示す一群の類から選択されるものである。
【００２５】
このように構成すると、属性毎の識別マークがバーナー間距離に対応する。
【００２６】
請求項３記載の発明は、請求項２記載の発明の構成において、識別マークとして選択される同一属性の類に含まれる異なったマークは、システムキッチンレンジ用汁受け皿覆いの被覆範囲の相違に対応するものである。
【００２７】
このように構成すると、マークの各々は、バーナー間距離と被覆範囲とに対応する。
【００２８】
請求項４記載の発明は、請求項１から請求項３のいずれかに記載の発明の構成において、識別ラベルは、第１バーナー及び第２バーナーの各々を露出させるための第１丸穴及び第２丸穴の各々の上に伸びる第１延長片及び第２延長片を有し、第１延長片及び第２延長片並びにこれらの間の舌片には、間隔を表す情報が記載されるものである。
【００２９】
このように構成すると、第１延長片及び第２延長片が第１丸穴及び第２丸穴の上に重なる。
【００３０】
請求項５記載の発明は、請求項４記載の発明の構成において、情報は矢印マーク及び間隔の長さを含むものである。
【００３１】
このように構成すると、情報が視覚的に表される。
【００３２】
請求項６記載の発明は、請求項４又は請求項５記載の発明の構成において、システムキッチンレンジは第３のバーナーを更に有し、システムキッチンレンジ用汁受け皿覆いは第３バーナーを露出させるための第３丸穴を更に有し、識別ラベルは第３丸穴に係合する係止片を有するものである。
【００３３】
このように構成すると、識別ラベルがシステムキッチンレンジ用汁受け皿覆いに対してずれる虞がない。
【００３４】
請求項７記載の発明は、少なくとも２口の並列的に配置された第１バーナー及び第２バーナーを有するシステムキッチンレンジを覆うためのシステムキッチンレンジ用汁受け皿覆いのための識別ラベルにおいて、識別ラベルは、第１バーナー及び第２バーナーの各々を露出させるための第１丸穴及び第２丸穴の各々の上に伸びる第１延長片及び第２延長片を有し、第１延長片及び第２延長片並びにこれらの間の舌片には、間隔を表す情報が記載されていることを特徴とするものである。
【００３５】
このように構成すると、第１延長片及び第２延長片が第１丸穴及び第２丸穴の上に重なる。
【００３６】
請求項８記載の発明は、請求項７記載の発明の構成において、情報は、矢印マーク及び間隔の長さを含むものである。
【００３７】
このように構成すると、情報が視覚的に表される。
【００３８】
請求項９記載の発明は、少なくとも２口の並列的に配置された第１バーナー及び第２バーナーを有するシステムキッチンレンジを覆うためのシステムキッチンレンジ用汁受け皿覆いを収納するための容器と蓋とからなる包装容器において、第１バーナー及び第２バーナーの間隔に応じて異なった種類の識別マークが蓋に表示されていることを特徴とするものである。
【００３９】
このように構成すると、識別マークの種類が第１バーナーと第２バーナーとの距離に対応する。
【００４０】
請求項１０記載の発明は、請求項９記載の発明の構成において、少なくとも蓋は透明体よりなり、蓋には、システムキッチンレンジ用汁受け皿覆いにおける第１バーナー及び第２バーナーを露出させるための第１丸穴及び第２丸穴に対応する位置まで伸びる表示が形成され、表示には間隔を表す情報が記載されるものである。
【００４１】
このように構成すると、蓋を介して表示が第１丸穴及び第２丸穴の上に投影される。
【００４２】
【発明の効果】
請求項１記載の発明は、識別マークの種類がバーナー間距離に対応するため、識別マークの種類に基づき選択すると、所望のシステムキッチンレンジ用汁受け皿覆いを確実に入手することができる。
【００４３】
請求項２記載の発明は、請求項１記載の発明の効果に加えて、属性毎の識別マークがバーナー間距離に対応するので、識別マークの属性さえ記憶していれば、所望のシステムキッチンレンジ用汁受け皿覆いを入手できるのでより選択が容易となる。
【００４４】
請求項３記載の発明は、請求項２記載の発明の効果に加えて、マークの各々はバーナー間距離と被覆範囲とに対応するため、マークの種類に基づいて選択するだけで所望のシステムキッチンレンジ用汁受け皿覆いが常に確実に入手することがきる。又、類さえ合っていれば被覆範囲が異なったものであっても使用は可能であるため購入の際の安心感が向上する。
【００４５】
請求項４記載の発明は、第１延長片及び第２延長片が第１丸穴及び第２丸穴の上に重なるため、バーナー間距離の情報が目立ちやすくなり、システムキッチンレンジ用汁受け皿覆いの識別を容易にする。
【００４６】
請求項５記載の発明は、請求項４記載の発明の効果に加えて、情報が視覚的に表されるため、システムキッチンレンジ用汁受け皿覆いの識別がより容易となる。
【００４７】
請求項６記載の発明は、請求項４又は請求項５記載の発明の効果に加えて、識別ラベルがシステムキッチンレンジ用汁受け皿覆いに対してずれる虞がないため、第１延長片及び第２延長片の第１丸穴及び第２丸穴に対する位置が変わらず、識別効果が安定して発揮される。
【００４８】
請求項７記載の発明は、第１延長片及び第２延長片が第１丸穴及び第２丸穴の上に重なるため、バーナー間距離の情報が目立ちやすくなり、システムキッチンレンジ用汁受け皿覆いの識別を容易にする。
【００４９】
請求項８記載の発明は、請求項７記載の発明の効果に加えて、情報が視覚的に表されるため、システムキッチンレンジ用汁受け皿覆いの識別がより容易となる。
【００５０】
請求項９記載の発明は、識別マークの種類がバーナー間距離に対応するため、蓋の識別マークの種類に基づいて選択すると、所望のシステムキッチンレンジ用汁受け皿覆いを確実に入手できる。
【００５１】
請求項１０記載の発明は、請求項９記載の発明の効果に加えて、蓋を介して表示が第１丸穴及び第２丸穴上に投影されるため、バーナー間距離の情報が目立ちやすくなり、システムキッチンレンジ用汁受け皿覆いの識別を容易にする。
【００５２】
【発明の実施の形態】
図１はこの発明の第１の実施の形態による識別ラベルの使用状態を示した平面図であり、図２は図１で示したＩＩ−ＩＩラインの拡大断面図である。
【００５３】
これらの図を参照して、識別ラベル１０が取付けられた汁受け皿覆い７８は、合成樹脂の透明体よりなる包装容器１１に格納された状態で販売等される。包装容器１１は汁受け皿覆い７８の底面形状に添う形状に成形された容器４２と、容器４２に嵌合し汁受け皿覆い７８の上面の形状に添うように形成された蓋４３とから構成されている。蓋４３は透明体であるため、汁受け皿覆い７８を収納した状態で識別ラベル１０を外部から視認することが可能である。
【００５４】
識別ラベル１０は紙製よりなり、汁受け皿覆い７８の上方側の部分を覆うような大きさに形成されている。すなわち、識別ラベル１０の下方端部には、汁受け皿覆い７８の隆起部２６及び隆起部２７の上半分に添うように形成された切欠部３１と切欠部３２とが形成されている。切欠部３１と切欠部３２とに挟まれた部分は、舌片３４を介して汁受け皿覆い７８の第１丸穴８２及び第２丸穴８３の中央部上方にまで伸びるような第１延長片３５及び第２延長片３６が形成されている。第１延長片３５及び第２延長片３６とその間の舌片３４の部分には、汁受け皿覆い７８の第１丸穴８２の中心と第２丸穴８３の中心とを示すような矢印マークが印刷されており、その矢印マークの中央には「２６〜２７」の表示からなるバーナー間距離（ｃｍ）が記載されている。
【００５５】
一方、識別ラベル１０の両側の辺は外方に延長されており立上部３８ａ，立上部３８ｂが形成されている。又、識別ラベル１０の上方部は汁受け皿覆い７８の隆起部２８に添うような丸形状の開口２９が形成されている。したがって、識別ラベル１０を汁受け皿覆い７８上に設置した状態において、汁受け皿覆い７８の隆起部２８は開口２９を介して露出することになる。そして識別ラベル１０の開口２９の下方部には、その端部を汁受け皿覆い７８の第３丸穴２３に挿入した後裏面側に折曲げて折返し部４４とし、識別ラベル１０を汁受け皿覆い７８に固定するための係止片４０が形成されている。
【００５６】
識別ラベル１０の開口２９と舌片３４との間のスペースには「猫」を表した識別マーク１３が形成されているが、これについては後述する。
【００５７】
次に、上記で示した識別ラベル１０の使用状態について説明する。
【００５８】
使用に際しては、識別ラベル１０を汁受け皿覆い７８の底部１６の上に載置し、切欠部３１と切欠部３２とが汁受け皿覆い７８の隆起部２６と隆起部２７とに添うように、又、開口２９から隆起部２８が露出するように位置調整をする。位置合せが終了すると、上述のように係止片４０を隆起部２８に係止させて、識別ラベル１０を汁受け皿覆い７８に固定する。そして識別ラベル１０の両側の立上部３８ａ，立上部３８ｂを汁受け皿覆い７８の側壁部１７に添うように折曲げ、その端部を汁受け皿覆い７８のフランジ部８１上に位置するように配置する。
【００５９】
このようにして識別ラベル１０の汁受け皿覆い７８に対する設置が終了すると、汁受け皿覆い７８を容器４２上に載置した後その上面を蓋４３で覆うようにして包装容器１１に収納する。このように汁受け皿覆い７８は収納されるため、係止片４０を構成する折返し部４４の部分は、汁受け皿覆い７８と容器４２とによって両側から押圧又は挟持された状態となる。したがって、汁受け皿覆い７８を包装容器１１に収納した状態にあっては、識別ラベル１０が汁受け皿覆い７８に対して上下左右に不用意にずれる虞はない。
【００６０】
又、蓋４３は透明体により形成されているため、汁受け皿覆い７８を包装容器１１に収納した状態において外方から識別ラベル１０を透視することが可能となる。したがって、購買者は識別ラベル１０に表示されている識別マーク１３と第１延長片３５、舌片３４及び第２延長片３６に表示されている矢印マークと数値とを容易に認識することが可能となる。
【００６１】
第１延長片３５及び第２延長片３６は汁受け皿覆い７８の第１丸穴８２及び第２丸穴８３の上方まで伸びており、それらの中心位置に対応する部分に矢印の先端が示されている。したがって、この矢印マークとともに表されている数値「２６〜２７」は、汁受け皿覆い７８の第１丸穴８２と第２丸穴８３との中心間距離、すなわち汁受け皿覆い７８が適合するシステムキッチンレンジのバーナー間距離を示しているものと容易に理解することが可能となる。したがって、この表示によって汁受け皿覆い７８にとって特に重要な情報としてのバーナー間距離に対して購買者の認識を高めることが可能となる。
【００６２】
図１で示した識別マーク１３には「猫」のマークが示されているが、この識別マーク１３の内容は、汁受け皿覆い７８に応じて以下の表に示すように分類分けされて表示されるものである。
【００６３】
【表１】
2004325021.tif 000003
すなわち識別マーク１３に表示されるキャラクターは、まず同一属性に含まれる類として動物と乗り物とに分けられている。そして動物の類に属するマークとして、図１に示すような「猫」に加えて「鶏」と「鯨」とが準備されている。一方、乗り物の類に属するマークとしては「自動車」、「電車」及び「飛行機」が準備されている。動物が表されている識別マーク１３の識別ラベル１０は、バーナー間距離が２６〜２７ｃｍのものに適合する汁受け皿覆い７８に取付られている。一方、乗り物が表示されている識別マーク１３は、バーナー間距離が３０ｃｍの汁受け皿覆い７８に使用されるように設定されている。すなわち、マークが動物でありさえすれば、適合するバーナー間距離は同一である。同様にマークが乗り物でありさえすれば、適合するバーナー間距離は同一に設定されている。
【００６４】
そして具体的な動物の種類や乗り物の種類等によって、汁受け皿覆い７８のシステムキッチンレンジに対する被覆範囲が相違したものが識別されるように構成されている。すなわち、識別マーク１３に「猫」が表示されている場合は、図１に示す汁受け皿覆い７８のようにシステムキッチンレンジのフランジ内側までを被覆するものである。具体的には図７で実線で示した汁受け皿覆い７８に対応するものである。識別マーク１３に「鶏」が表示されているものは、被覆範囲がシステムキッチンレンジのフランジ外側までのものに対応している。具体的には図７で示した仮想線で示した汁受け皿覆い８６に対応するものである。更に識別マーク１３に「鯨」が表示されているものは、システムキッチンレンジのフランジ外側のみならずグリル排気口の部分まで被覆するものに対応したものである。具体的には図７で破線で示した汁受け皿覆い８８が対応するものである。
【００６５】
同様に乗り物の具体的なマークとして示されている「自動車」、「電車」及び「飛行機」の各々にあっても、システムキッチンレンジに対する被覆範囲が異なるように設定されている。
【００６６】
このように識別マーク１３に示されている具体的なマークの種類によって、システムキッチンレンジ用汁受け皿覆いにとって重要な情報であるバーナー間距離と被覆範囲とが対応付けられることになる。これによって購買者は最初に自分のシステムキッチンレンジに適合した汁受け皿覆いを把握し、これに表示されているキャラクターのマークのみを記憶しておけば、以後そのマークに基づいて選択するだけで、不適合な製品を購入する虞が解消する。尚、上述のようにバーナー間距離は動物と乗り物とに各々対応したものとなっているため、少なくとも自己のシステムキッチンレンジに適合するマークの類さえ覚えておけば、少なくともバーナー間距離が適合した製品を購入できることになり、購入時の安心感が向上する。
【００６７】
尚、上記の各実施の形態では、識別マークの属性を示す類として動物、乗り物を例示しているが、これ以外に植物、楽器、星座等を他の類として用いても良い。
【００６８】
又、上記の各実施の形態では、識別マークの位置は識別ラベルの略中央部としているが、他の位置に表示しても良い事は言うまでもない。
【００６９】
更に、上記の各実施の形態では、識別ラベルに係止片を設けているが、係止片を設けずに例えば接着テープ、粘着剤等の他の方法で識別ラベルをシステムキッチンレンジ用汁受け皿覆いに固定するようにしても良い。
【００７０】
更に、上記の各実施の形態では、第１延長片、舌片、第２延長片に矢印マークとバーナーの間隔に相当する数値を表示しているが、これらのいずれか一方のみを表示するように構成しても良い。
【００７１】
更に、上記の各実施の形態では、システムキッチンレンジは３口形式のものを対象としているが、４口形式のシステムキッチンレンジにも同様に適用できる。この場合、識別ラベルの係止片は上方側における２つの開口の少なくともいずれか一方に係止するようにすれば良い。又、この場合には、これらの開口の間隔に対しても同様にこの発明を適用することができる。
【００７２】
更に、上記の各実施の形態では、識別ラベルの上方は第３バーナー用の開口を露出させるように構成されているが、この開口の隆起部に沿うように構成しても良い。
【００７３】
更に、上記の各実施の形態では、識別ラベルの両側の辺には立上り部が形成されているが、この立上り部は必ずしも必要なものではない。
【００７４】
更に、上記の各実施の形態では、識別ラベルとして紙を用いているが、これ以外に合成樹脂フィルム、金属箔又はそれら２種以上のラミネート材を用いても良い。
【００７５】
更に、上記の各実施の形態では、容器と蓋からなる包装容器を用いているが、容器と蓋が一部連結している一体型容器を用いても良く、これら以外にも袋状、箱状の容器を採用することもできる。
【００７６】
更に、上記の各実施の形態では、第１延長片、舌片、第２延長片に矢印マークとバーナーの間隔に相当する数値を表示しているが、必ずしも第１延長片、舌片、第２延長片を設ける必要は無く、識別ラベル上にバーナー間距離を示す表示、例えば数値、矢印、スケール（目盛）、寸法線等の少なくともいずれかを表示しても良い。
【図面の簡単な説明】
【図１】この発明の第１の実施の形態による識別ラベルの使用状態を示した平面図である。
【図２】図１で示したＩＩ−ＩＩラインの拡大断面図である。
【図３】一般のシステムキッチンレンジの概略構成を示す平面図である。
【図４】図３で示したシステムキッチンレンジに対して設置されるシステムキッチンレンジ用汁受け皿覆いの外観形状を示した平面図である。
【図５】図４に示した汁受け皿覆いを図３に示したシステムキッチンレンジに設置した状態の平面図である。
【図６】図５で示したＶＩ−ＶＩラインの拡大端面図である。
【図７】図４で示した汁受け皿覆いに対して被覆範囲の異なった汁受け皿覆いの外観形状を示した平面図である。
【符号の説明】
１０…識別ラベル
１１…包装容器
１３…識別マーク
２３，８２，８３…丸穴
３５，３６…延長片
４０…係止片
４２…容器
４３…蓋
５３，７１，７３…バーナー
７０…システムキッチンレンジ
尚、各図中同一符号は同一又は相当部分を示す。
【図１】
2004325021.tif 000004
【図２】
2004325021.tif 000005
【図３】
2004325021.tif 000006
【図４】
2004325021.tif 000007
【図５】
2004325021.tif 000008
【図６】
2004325021.tif 000009
【図７】
2004325021.tif 000010